(57)【要約】      （修正有）【課題】衛生マスクと眼鏡を同時に着用した際に、眼鏡のレンズが曇る惧れを少なくできると共に、衛生マスクの製造コストの増大を招来する惧れも少なく、しかも、デザイン的にも問題がない衛生マスクを提供する。【解決手段】合成樹脂製とされた外側・中間・口元側不織布５〜７を有する３プライ（層）構造のマスク本体１を前後方向に熱溶着する熱溶着部が備えられた衛生マスクにおいて、熱溶着部が点線とされ、この点線を構成する全ての点又は一部の点に通気孔２５が貫通形成されている。【選択図】図３
0003220213.tif 000002
【実用新案登録請求の範囲】
【請求項１】
不織布製のマスク本体を前後方向に関して熱溶着する熱溶着部が備えられた衛生マスクにおいて、
熱溶着部に通気孔が前後方向に貫通形成されていることを特徴とする衛生マスク。
【請求項２】
熱溶着部が点線とされ、この点線を構成する全ての点又は一部の点に通気孔が形成された請求項１記載の衛生マスク。
【請求項３】
熱溶着部が直線又は曲線とされ、熱溶着部に全長にわたって通気孔が間隔を置いて配設されるか、又は、熱溶着部の一部に通気孔が間隔を置いて配設された請求項１記載の衛生マスク。
【請求項４】
マスク本体の左右各端部に、それぞれ、熱溶着部が上下方向略全長にわたって配設された請求項１〜３の何れかに記載の衛生マスク。
【請求項５】
マスク本体の左右各端部に、それぞれ、複数の熱溶着部が配設された請求項４記載の衛生マスク。
【請求項６】
マスク本体における、上下方向中間部に、左右方向略全長にわたって延び且つ上下方向に広げることが可能とされた襞が設けられ、
熱溶着部が襞を熱溶着して、襞の上下方向への広がりを阻止する請求項４又は５記載の衛生マスク。
【請求項７】
各熱溶着部が、
イ．熱溶着部の上部を構成し、マスク本体における、襞よりも上側部分の上下方向略      全長にわたる部分に上下方向に配設された上側構成部と、
ロ．熱溶着部の上下方向中間部を構成し、マスク本体における、襞が形成された部分      の上下方向略全長にわたる部分に外側方に向かって凸状の円弧状に配設されて、襞      を熱溶着し、襞の上下方向への広がりを阻止する阻止部と、
ハ．熱溶着部の下部を構成し、マスク本体における、襞よりも下側部分の上下方向略      全長にわたる部分に上下方向に配設された下側構成部
を有する請求項６記載の衛生マスク。
【請求項８】
マスク本体の上端部及び又は下端部に、それぞれ、熱溶着部が左右方向略全長にわたって設けられた請求項１〜７の何れかに記載の衛生マスク。
【請求項９】
左右一対の耳掛けを有し、
各耳掛けの各端部が、マスク本体の左右各端部における上下各端部に熱溶着された請求項１〜８の何れかに記載の衛生マスク。
【考案の詳細な説明】
【技術分野】
【０００１】
本考案は、鼻と口を覆って、塵、埃、花粉、微生物等の捕捉、喉の保護、治療や消毒等の衛生作業、料理や給食等に使用される衛生マスクに関する。
【背景技術】
【０００２】
衛生マスクとして、マスク本体と左右一対の耳掛けを有するものがある。ところで、近年では、マスク本体が着用者の顔にフィットするように、マスク本体に左右方向に延びる襞（プリーツ、ギャザー）が上下方向に並設されると共に、マスク本体のフィルター性能を向上させるために、マスク本体を不織布製とされたものが提案されている。
【０００３】
しかし、このようにすると、マスク本体内部の気密性が高まるため、下記のような問題が生じる。即ち、マスク本体に襞を設けると、マスク本体は着用者の頬にはよくフィットするのであるが、鼻と頬の境界部分には十分にフィットせず、どうしてもマスク本体とこの境界部分との間には隙間が生じやすい。
【０００４】
このため、着用者の呼気が上記隙間から漏れ出しやすい。そのため、着用者が眼鏡も同時に着用していると、この漏れ出した呼気により眼鏡のレンズが曇りやすいとの問題があった。この問題を回避するために、マスク本体の上端部の中央部にノーズワイヤを内装し、衛生マスクの着用時にノーズワイヤを曲げることで、マスク本体の上端部を鼻と頬の境界部分にフィットさせるようにしている。
【０００５】
しかし、このようにしても、マスク本体と上記境界部分との間の隙間を完全に無くすことは難しく、眼鏡のレンズの曇りを完全に防止することは困難であった。そこで、この問題を解決するために、マスク本体の上部に呼気を逃がすための通気用開口を形成したものが提案されている（例えば、特許文献１参照）。
【先行技術文献】
【特許文献】
【０００６】
【特許文献１】特開２０１３−１７８１２号公報
【考案の概要】
【考案が解決しようとする課題】
【０００７】
しかし、上記のものでは、わざわざ通気用開口を別途加工する必要があって、衛生マスクの製造コストを増大する惧れがあると共に、通気用開口が衛生マスクの外観体裁の悪化を招来するため、衛生マスクのデザイン的に問題があったのが実情である。
【０００８】
本考案は上記問題を解決でき、衛生マスクと眼鏡を同時に着用した際に、眼鏡のレンズが曇る惧れを少なくできると共に、衛生マスクの製造コストの増大を招来する惧れも少なく、しかも、デザイン的にも問題のない衛生マスクを提供することを目的とする。
【課題を解決するための手段】
【０００９】
本考案は上記課題を解決するために、不織布製のマスク本体を前後方向に関して熱溶着する熱溶着部が備えられた衛生マスクにおいて、熱溶着部に通気孔が前後方向に貫通形成されている衛生マスクを提供する。
尚、熱溶着部が点線とされ、この点線を構成する全ての点又は一部の点に通気孔が形成されることもある。
又、熱溶着部が直線又は曲線とされ、熱溶着部に全長にわたって通気孔が間隔を置いて配設されるか、又は、熱溶着部の一部に通気孔が間隔を置いて配設されることもある。
更に、マスク本体の左右各端部に、それぞれ、熱溶着部が上下方向略全長にわたって配設されることもある。
又、マスク本体の左右各端部に、それぞれ、複数の熱溶着部が配設されることもある。  更に、マスク本体における、上下方向中間部に、左右方向略全長にわたって延び且つ上下方向に広げることが可能とされた襞が設けられ、熱溶着部が襞を熱溶着して、襞の上下方向への広がりを阻止することもある。
又、各熱溶着部が、イ．熱溶着部の上部を構成し、マスク本体における、襞よりも上側部分の上下方向略全長にわたる部分に上下方向に配設された上側構成部と、ロ．熱溶着部の上下方向中間部を構成し、マスク本体における、襞が形成された部分の上下方向略全長にわたる部分に外側方に向かって凸状の円弧状に配設されて、襞を熱溶着し、襞の上下方向への広がりを阻止する阻止部と、ハ．熱溶着部の下部を構成し、マスク本体における、襞よりも下側部分の上下方向略全長にわたる部分に上下方向に配設された下側構成部
を有することもある。
更に、マスク本体の上端部及び又は下端部に、それぞれ、熱溶着部が左右方向略全長にわたって設けられることもある。
又、左右一対の耳掛けを有し、各耳掛けの各端部が、マスク本体の左右各端部における上下各端部に熱溶着されることもある。
【考案の効果】
【００１０】
本考案によれば、熱溶着部に通気孔を形成しているので、呼気が通気孔から良好に排出される。これにより、鼻と頬の境界部分とマスク本体との間に隙間が生じても、この隙間から呼気が多量に排出されることはない。従って、衛生マスクと眼鏡を同時に着用した際にも、呼気によって眼鏡のレンズが曇る惧れを少なくできる。
又、マスク本体が不織布製である場合には必然的に必要となる熱溶着部に通気孔を形成して、マスク本体に別途通気口等を形成していないので、通気口の別途形成による衛生マスクの製造コストの増大を招来する惧れも少ない。
更に、マスク本体が不織布製である場合には必然的に必要となる熱溶着部に通気孔を形成して、通気口を別途形成しなかったので、衛生マスクの外観体裁も良好で、デザイン的に問題もない。
【図面の簡単な説明】
【００１１】
【図１】本考案の実施の形態の一例を示す正面図である。
【図２】図１の背面図である。
【図３】図１のＡ−Ａ線矢視断面図である。
【図４】図１のＢ−Ｂ線矢視断面図である。
【図５】図１の着用時の状態を示す斜視図である。
【図６】図５の一部側面図である。
【図７】本考案の実施の形態の他例を示す断面図である。
【考案を実施するための形態】
【００１２】
以下、本考案の実施の形態の一例を図面に基づき説明すると、図１及び図２に示すように、衛生マスクは、マスク本体１と、ノーズワイヤ２と、左右一対の耳掛け（装着用紐）３を有する。
【００１３】
マスク本体１は鼻、口、顎を覆うもので、図３に示すように、合成樹脂製とされた外側・中間・口元側不織布５〜７を有する３プライ（層）構造とされて、これらが、外側から口元側に向かって、上記の順で並設されている。
【００１４】
外側・口元側不織布５，７は（略）同一厚さとされて、中間不織布６よりも厚くされており、塵、埃、花粉、微生物等の捕捉を行なうフィルター機能と、マスク本体１に厚み（ボリューム感）や強度を持たせる機能を有する。外側・口元側不織布５，７では、フィルター機能よりも、マスク本体１に厚みや強度を持たせる機能が優先されており、この観点から、外側・口元側不織布５，７としては、厚み（ボリューム感）が充分にあり且つ通気性が良好なエアースルー不織布や、強度が充分にあるスパンボンド不織布が好ましいが、外側・口元側不織布５，７として、肌触りの良いスパンレース不織布を使用しても良い。尚、上記では、口元側不織布７を厚みのあるフィルターとして、口元側不織布７に、フィルター機能や、マスク本体１に厚み（ボリューム感）や強度を持たせる機能を持たせたが、そのようにしなくてもよい。
【００１５】
中間不織布６は、塵、埃、花粉、微生物等の捕捉を行なうフィルター機能を、主要な機能として有するもので、この観点から、中間不織布６としては、繊維が（超）極細で、糸密度が密である（換言すれば、「布目が細かい」、更に、換言すれば、「通過可能な粒子の大きさが小さい」）メルトブロー不織布が好ましい。尚、メルトブロー不織布としては、繊維の直径が０．５〜４μｍで、厚みが０．０８〜０．３ｍｍのものが好ましい。又、中間不織布６の糸密度は、外側・口元側不織布５，７よりも密とされている（換言すれば、「布目が細かくされている」、更に、換言すれば、「通過可能な粒子の大きさが小さくされている」）。
【００１６】
図４にも示すように、マスク本体１の上下部を除く部分には、左右方向（略）全長に延び且つ上下方向に広げることが可能な襞（プリーツ、ギャザー）８〜１１が上下方向に複数（図例では４つ）並設されている。尚、図４では、便宜上、マスク本体１を構成するプライを単一として描いている。各襞８〜１１の上下方向長さは同一とされ、又、中間の２つの襞９，１０の前面は前後方向に関して同一位置とされて、境目なく連続している。尚、マスク本体１における、襞８の上側部分は襞１１の下側部分よりも上下方向長さは長くされているが、同一とされることもある。マスク本体１の上下端部は、それぞれ、前側に折り返されて、２重にされた折り返し部１２，１３とされている。
【００１７】
マスク本体の上側折り返し部１２は、上下方向に並設された３本の第１熱溶着部１４により、一体化されている。これら第１熱溶着部１４は、マスク本体１における、左右方向（略）全長にわたる部分に細い点線として左右方向に配設されている。第１熱溶着部１４は、超音波による熱溶着（ヒートシール）により形成されて、マスク本体１を前後方向（マスク本体１の厚さ方向）に関して熱溶着している。超音波による熱溶着を行なう際には、例えば、円盤状の超音波振動用ホーンと同じく円盤状のアンビルの間にマスク本体１を挟み、ホーンとアンビルを回転させることで、第１熱溶着部１４を形成する。尚、熱溶着を高周波溶着、熱板式溶着、熱風式溶着により行なうこともある。尚、以下の熱溶着部も同様に形成されている。
【００１８】
上段の第１熱溶着部１４と中段の第２熱溶着部１４間の間隔は、この中段の第１熱溶着部１４と下段の熱溶着部１４間の間隔よりも大とされている。マスク本体１の下側折り返し部１３も、上下方向に等間隔で並設され且つ前後方向関して溶着する３本の第２熱溶着部１５により、一体化されている。これら第２熱溶着部１５も、マスク本体における、左右方向（略）全長にわたる部分に細い点線として左右方向に配設されている。
【００１９】
マスク本体１の左右各端部にも、それぞれ、一対の細い点線から成る第３熱溶着部１７が上下方向（略）全長にわたって配設されている。これら一対の第３熱溶着部１７は、左右方向に間隔を置いて配設され、各第３熱溶着部１７は、上側構成部１７Ａと、阻止部１７Ｂと、下側構成部１７Ｃとから成る。
上側構成部１７Ａは、第３熱溶着部１７の上部を構成し、マスク本体１における、襞８よりも上側部分の上下方向（略）全長にわたる部分に上下方向に配設されている。阻止部１７Ｂは、第３熱溶着部１７の上下方向中間部（又は、上下方向中央部）を構成し、マスク本体１における、襞８〜１１が形成された部分の上下方向（略）全長にわたる部分に外側方に向かって凸状の円弧状として配設されている。阻止部１７Ｂは各襞８〜１１を熱溶着して、各襞８〜１１の上下方向への広がりを阻止する。下側構成部１７Ｃは、第３熱溶着部１７の下部を構成して、マスク本体１における、襞１１よりも下側部分の上下方向（略）全長にわたる部分に上下方向に配設されている。
【００２０】
上記各熱溶着部１４，１５，１７は上記のように細い点線とされているが、より具体的には、矩形状（略方形状や細長い略長方形状）の点（以下、この点を「溶着点」（溶着ドット、溶着個所）という。）が間隔を置いて連なったものとされている。尚、溶着点を円形又は楕円形等の点としてもよい。
ところで、本例では、第３熱溶着部１７の上側構成部１７Ａ、阻止部１７Ｂ及び下側構成部１７Ｃの全ての溶着点に通気孔が形成されている。この詳細を説明すると、図３は第３熱溶着部１７の上側構成部１７Ａの溶着点の断面図を示しており、外側・中間・口元側不織布５〜７が溶着点で前後方向に関して溶着されている。溶着点は、筒部２１と蓋部２２とから成る。
【００２１】
筒部２１は、溶着点におけるマスク本体１の後側部分（内側部分）を除く略全体を構成するもので、角筒状とされて、マスク本体１の前側（外側）で開口している。筒部２１の内面は全面にわたって溶着されている。蓋部２２は、溶着点におけるマスク本体１の後側部分（口元側部分）を構成するもので、外側・中間・口元側不織布５〜７を溶着して、筒部２１におけるマスク本体１の後側開口（口元側開口）を閉塞状としている。
蓋部２２の中心部には、丸孔又は角孔状の細孔２４が前後方向に貫通形成されている。この細孔２４と筒部２１の内部とにより、溶着点を前後方向に貫通する通気孔２５が構成されている。上記のような構成の溶着点の形成は、溶着点で熱溶着を行なうアンビルやホーンの外周面形状、溶着温度、溶着圧力等の調整により行なわれる。尚、図７に示すように、蓋部を設けず、溶着点全体を角筒状とし、溶着点の内壁面を熱溶着した溶着壁２６とすることで、溶着点の内部を通気孔２５とすることもある。
【００２２】
ノーズワイヤ２は、マスク本体１の上端部を着用者の鼻の形にフィットさせるもので、これにより、衛生マスクの着用時に、マスク本体１がずれにくくなると共に、鼻と頬の境界部分とマスク本体１との隙間も略閉塞される。ノーズワイヤ２は、マスク本体１の上側折り返し部１２の内部における、上段の第１熱溶着部１４と中段の第１熱溶着部１４間に介装されて、マスク本体１の上側折り返し部１２の内部に左右方向に配設されている。ノーズワイヤ２としては、例えば、軟質の針金、プラスチック樹脂等が使用される。
【００２３】
耳掛け３は耳に掛けられるもので、マスク本体１の左右両端部の上下端部、即ち、各隅部に備えられる。各耳掛け３の各端部は、マスク本体の各折り返し部１２，１３の上下端部の裏面に熱溶着部１８を介して超音波により熱溶着されている。このように、耳掛け３をマスク本体１に超音波により熱溶着しているので、耳掛け３をマスク本体１に容易に取り付けることができる。耳掛け３としては、例えば、スパンデックス（ポリウレタン）製の伸縮性を有し且つ断面略長方形状の平たい紐が使用される。
【００２４】
このように、耳掛け３として、平たい紐を使用すれば、上記熱溶着時に、各耳掛け３とマスク本体１の接触面積を大とでき、両者を良好に熱溶着できる。尚、耳掛け３として、上記のように、スパンデックス製のものを使用すると、ゴム製のものを使用した場合に比較して、上記熱溶着時に、傷付き難く、強度が弱くならないと共に、繰り返し伸縮させても、弾力性が失われにくい。又、耳掛け３として、上記のように、スパンデックス製の平たい紐を使用すれば、衛生マスクの着用時に、耳掛け３がソフトに着用者の肌に当たり、付け心地が良好である。
【００２５】
上記構成例によれば、衛生マスクのマスク本体１の上下各端部に、それぞれ、第１熱溶着部１４又は第２熱溶着部１５が左右方向（略）全長にわたって配設されると共に、マスク本体１の左右各端部にも、それぞれ、第３熱溶着部１７が上下方向（略）全長にわたって配設されているので、マスク本体１が３プライ、即ち、３層の不織布５〜７により構成されている場合でも、マスク本体１の上下各端部及び左右各端部を確実に固定、一体化できる。
【００２６】
図５及び図６に示すように、衛生マスクの着用時には、マスク本体１の上下方向中央部にある襞８〜１１を上下方向に広げ、マスク本体１を前方に突出する立体的なものとする。尚、図１及び図２では、各熱溶着部１４，１５，１７を矩形枠状として描いたが、図５及び図６では、便宜上、各熱溶着部１４，１５，１７を太い点線状として描いている。
【００２７】
ところで、衛生マスクの着用時には、マスク本体１の襞８〜１１のある部分における、左右各端部を除く部分では襞８〜１１が固定されていないので、上下方向に広がるが、上記左右各端部では、第３熱溶着部１７の阻止部１７Ｂにより、各襞８〜１１が熱溶着されているので、上下方向には広がらない。このように、マスク本体の襞８〜１１のある部分における、左右各端部を除く部分のみが上下方向に広がるため、この左右各端部はマスク本体１の左右方向中央部側に引っ張られ、これにより、この左右各端部は、上下方向に関して、弛もうとする。
【００２８】
しかし、第３熱溶着部１７における、上記左右各端部に対応する部分は、外側方に凸状の湾曲状の阻止部１７Ｂとされているため、左右各端部の阻止部間１７Ｂの距離は、阻止部１７Ｂの上下方向中央部に向かうに従って、長くなっている。そのため、上記のように、マスク本体１における、襞８〜１１のある部分の左右各端部がマスク本体１の左右方向中央部側に引っ張られた際に、湾曲状の阻止部１７Ｂは、その上下方向中央部側ほど、マスク本体１の左右方向中央部側に大きく移動することになる。
【００２９】
これにより、図５及び図６に示すように、マスク本体１の襞８〜１１のある部分の左右各端部が内側に凹むように変形して、例えば、略Ｖ字状となる。この変形により、マスク本体１の上記左右各端部の上下方向の弛みが吸収されて、この左右各端部が着用者の各頬から上方に浮いた状態とならず、この左右各端部が着用者の各頬に良好にフイットする。それ故、この左右各端部と着用者の各頬間に隙間ができにくく、この隙間から塵、埃、花粉、微生物等が鼻や口に侵入したりする惧れを少なくできる。従って、外側・中間・口元側不織布５〜７のフィルター性能を向上させた場合に、それを衛生マスク自体の性能の向上に確実に繋がらせることができる。
【００３０】
尚、衛生マスクの着用時には、マスク本体１には、上下方向や左右方向の外力が作用し、マスク本体１の左右各端部の第３熱溶着部１７にも、上下方向や左右方向の外力が作用するが、第３熱溶着部１７が単一ではなく、左右方向に間隔を置いた一対とされて、各襞８〜１１が強固に熱溶着されているので、各襞８〜１１の第３熱溶着部１７による溶着部分が剥離したりする惧れが少ない。
【００３１】
又、衛生マスクの着用時には、上記のように、マスク本体１の襞８〜１１を上下方向に広げることで、マスク本体１による、鼻や口の圧迫が抑制され、これにより、息苦しさが軽減されると共に、女性の場合には、口唇に塗られた口紅がマスク本体１に付着しにくい利点がある。
【００３２】
ところで、マスク本体１は、ノーズワイヤ２、襞８〜１１、第３熱溶着部１７の働きにより、着用者の顔によくフィットする。又、マスク本体１が不織布製であることからフィルター性能もよい。これらのことから、マスク本体１内部の気密性が高まるため、衛生マスクと眼鏡を同時に着用した際には、呼気による眼鏡のレンズの曇りが問題となる。
【００３３】
しかし、本例では、第３熱溶着部１７の各溶着点に通気孔２５を形成しているので、呼気が通気孔２５から良好に排出される。これにより、鼻と頬の境界部分とマスク本体１との間に隙間が生じても、この隙間から呼気が多量に排出されることはない。従って、衛生マスクと眼鏡を同時に着用した際にも、呼気によって眼鏡のレンズが曇る惧れを少なくできる。
【００３４】
又、マスク本体１は通常複数の襞８〜１１を有するため、マスク本体１の左右端部には襞８〜１１を前後方向に関して溶着する第３熱溶着部１７が当然必要となるが、この第３熱溶着部１７の各溶着点に通気孔２５を形成するようにして、マスク本体１に別途通気口等を形成する必要を無くしたので、通気口の別途形成による衛生マスクの製造コストの増大を招来する惧れも少ない。
更に、上記のように従来からある第３熱溶着部１７に通気孔２５を形成して、通気口を別途形成しなかったので、衛生マスクの外観体裁も良好で、デザイン的に問題もない。
【００３５】
尚、本例では、左右各側の４本の第３熱溶着部１７の全ての溶着点に通気孔２５を形成したが、第３熱溶着部１７の一部の溶着点に通気孔２５を形成してもよい。又、第１熱溶着部１４及び／又は第２熱溶着部１５の全て又は一部の溶着点に通気孔を形成してもよく、この形成時には、第３熱溶着部１７の溶着点に通気孔を形成しても、形成しなくてもよい。
【００３６】
ところで、マスク本体１の上下端部には、マスク本体１の上下端部を見栄えよくまとめるために、マスク本体１の上下端部には必然的に第１、第２熱溶着部１４，１５が左右方向（略）全長にわたって設けられることとなる。又、マスク本体１に上記のように複数の襞８〜１１を形成しない場合でも、マスク本体１の左右各端部を見栄えよくまとめるために、マスク本体１の左右各端部に熱溶着部が上下方向（略）全長にわたって設けられることとなる。
【００３７】
上記のように、マスク本体１が不織布製の場合には必然的に熱溶着部１４，１５，１７が形成される。それ故、通気孔を形成するために、わざわざ、マスク本体１に熱溶着部を形成するというような本末転倒的な状況が起こることもない。
更に、上記構成例では、各熱溶着部１４，１５，１７は点線としたが、直線又は曲線としてもよい。この場合には、熱溶着部１４，１５，１７の全長にわたって通気孔２５が間隔を置いて備えられるか、又は、熱溶着部１４，１５，１７の一部に通気孔２５が間隔を置いて備えられる。
【００３８】
更に、上記構成例によれば、下記の効果もある。
Ａ．衛生マスクが、外側・中間・口元側不織布５〜７から成ると共に、中間不織布６の糸  密度が外側不織布５よりも密であるので、塵、埃、花粉、風邪のウィルス等の微生物等  を充分に良好に捕捉できると共に、大きな塵や埃は外側不織布５で捕捉され、それより  も小さな塵、埃、花粉、微生物は中間不織布６で捕捉されるというように、マスク本体  １により、塵、埃、花粉、微生物等を効率的に捕捉できる。
Ｂ．中間不織布６として、繊維の直径が０．５〜４μｍで且つ厚みが０．０８〜０．３ｍ  ｍのメルトブロー不織布、即ち、繊維が極細で、糸密度が密なメルトブロー不織布を使  用すれば、塵、埃、花粉、微生物等を更に良好に捕捉できる。尚、中間不織布６として  上記のようなメルトブロー不織布を使用して、微粒子の捕捉試験を行なったところ、０  ．１μｍの微粒子を９９％以上捕捉できたとの試験結果を得た。
Ｃ．衛生マスクが、３プライ構造で、プライ数が少ないと共に、各プライが不織布５〜７  であるので、通気性が良く、衛生マスクの着用時に、息苦しさがない。
Ｄ．外側・口元側不織布５，７を中間不織布６よりも厚くし、外側・口元側不織布５，７  として、厚みのあるものを使用しているので、衛生マスクのボリューム感、強度を向上  できる。
Ｅ．外側・口元側不織布５，７として、厚みが充分にあるエアースルー不織布を使用すれ  ば、衛生マスクのボリューム感を向上でき、又、外側・口元側不織布５，７として、強  度が充分にあるスパンボンド不織布を使用すれば、衛生マスクの強度を向上でき、更に  外側・口元側不織布５，７として、肌触りの良いスパンレース不織布を使用すれば、衛  生マスクの肌触りを向上できる。
【００３９】
尚、上記構成例では、中間不織布を一枚としたが、複数枚としてもよく、又、中間プライに、上記以外の不織布や、その他のフィルターや布（生地）等を付加してもよい。又、上記構成例では、第３熱溶着部を一対としたが、単一又は３つ以上としてもよい。
【符号の説明】
【００４０】
１  マスク本体
３  装着用紐（耳掛け）
８〜１１  襞
１４，１５，１７  第１〜第３熱溶着部
２５  通気孔
【図１】
0003220213.tif 000003
【図２】
0003220213.tif 000004
【図３】
0003220213.tif 000005
【図４】
0003220213.tif 000006
【図５】
0003220213.tif 000007
【図６】
0003220213.tif 000008
【図７】
0003220213.tif 000009